Podtech/llm-jp-corpus-v4-ja_patent huggingface dataset:
(57)【要約】【課題】  金属音が発生しなく厳かに鳴り響くように大鈴を打ち鳴らすことのできる大鈴用の撥を提供する。【解決手段】  木を切削することにより持ち手と打部を一体に形成し、打部を獣皮等の緩衝材で被覆した大鈴用の撥において、打部の先端に大鈴の材質とほゞ同等若しくはそれ以上の比重を有する金属塊を埋め込んでなることを特徴とする。【効果】  金属音が発生しなく厳かに鳴り響くように大鈴を打ち鳴らすことのできるので、仏前における場の雰囲気を厳粛に盛り上げ、参列者に安らぎを与えることができ、また、打ち鳴らす役では操作しやすく疲れない。【選択図】    図１
2006020903.tif 000002
【特許請求の範囲】
【請求項１】
木を切削することにより持ち手と打部を一体に形成し、打部を獣皮等の緩衝材で被覆した大鈴用の撥において、打部の先端に大鈴の材質とほゞ同等若しくはそれ以上の比重を有する金属塊を埋め込んでなることを特徴とする大鈴用の撥。
【請求項２】
打部において、獣皮の上から紐を密に巻き付けて緩衝材の被覆がなされていることを特徴とする請求項１記載の大鈴用の撥。
【発明の詳細な説明】
【技術分野】
【０００１】
この発明は、大鈴（オオリン）を打ち鳴らすために用いる撥（バチ、ハツ又はバツと発音する）に関する。
【背景技術】
【０００２】
大鈴は、大金、金子、ケイス、銅鉢等ともいい、各宗派で多く用いられる梵音具で、また、銅鉢ともいうように鉢形の器で、半鐘を仰げた形状であり、打棒としての撥がこれを打ち鳴らすために使用される。使用については、仏前に置おいて行香、看経の時に打ち鳴らされる。現在用いられている大鈴は、口径が１８〜６０cmの大きさであるが、特に禅宗では口径３０〜６０cmの大形が好まれ、他では４５cmまでのものが多い。これを台の上において打ち鳴らされる。
【０００３】
撥は、真鍮でこのように大型に成形された大鈴を打ち鳴らすためにこれも大型の太い棒状であって、持ち手と打部とがバットと同じように木材を削って一体成形されたものであるが、打部には打撃音を緩和するために獣皮が被覆されていた。つまり、打撃音には、参列者に深い瞑想に至らせるような厳かな響きが要求される。
【０００４】
厳かな響きを得るために、大鈴の合金組成についても研究されてきたのであるが、それでも尚鋭い金属音がやゝ残るという問題があった。そこで、従来、打ち鳴らす役の僧侶は、努めて柔らかさを出そうとかなり気をつかっていたが、金属音をださないで打ち鳴らすことは難しかった。
【発明の開示】
【発明が解決しようとする課題】
【０００５】
この発明は、撥について問題を解決しようとしたもので、金属音が発生しなく厳かに鳴り響くように大鈴を打ち鳴らすことのできる大鈴用の撥を提供することを課題とした。
【課題を解決するための手段】
【０００６】
この発明は、上記の課題を解決するために、木を切削することにより持ち手と打部を一体に形成し、打部を獣皮等の緩衝材で被覆した大鈴用の撥において、打部の先端に大鈴の材質とほゞ同等若しくはそれ以上の比重を有する金属塊を埋め込んでなることを特徴とする大鈴用の撥を提供するものである。
【０００７】
大鈴用の撥を上記のように構成したから、これで大鈴を打撃したときに、慣性の力が蓄積して、言わばヘッドスピードが増すことから、打撃直前において手の力を抜いても大きく打つことになるが、緩衝材により打撃音が緩和され金属音が発生しないために、適度な音量において厳かな鳴り響きとなる。
【０００８】
ちなみに、従来、厳かな鳴り響きとなるように僧侶が手で加減をしていた場合について見ると、適度な音量を得るために、打撃に至るまでむやみに手に力が加わっていたので、緩衝材の効き目が発揮されないで金属音が発生することになり、接触状態で止めると逆に鈍音となっていた。また、打撃前に手の力を抜くと金属音の発生が少ないものの、適度な音量が得られなかった。
【０００９】
また、上記のように構成した撥によれば、金属塊の重みにより重心が先端部に位置することから、慣性の蓄積によりヘッドスピードが出るだけでなく、撥の振りが安定するため手が疲れない。これらのことは、ゴルフヘッドに高比重金属を埋め込んだクラブでは、飛距離が伸びるだけでなく、低重心化により安定したスイングが得られるということをヒントとした。
【発明の効果】
【００１０】
以上説明したように、この発明の大鈴用の撥によれば、金属音が発生しなく厳かに鳴り響くように大鈴を打ち鳴らすことのできるので、仏前における場の雰囲気を厳粛に盛り上げ、参列者に安らぎを与えることができ、また、打ち鳴らす役では操作しやすく疲れない等の優れた効果がある。
【発明を実施するための最良の形態】
【００１１】
図面は、この発明に係る一実施形態を示したもので、その大鈴用の撥Ｐは、白木を切削して持ち手１とその先の打部２を一体に形成し、打部２に獣皮３を被覆し、その上から紐５としてロープが巻き付けられるが、先端部に大鈴Ｒと同じ材質の真鍮からなる金属塊７が埋め込まれる。
【００１２】
打部２の先端に金属塊７を埋め込むために、中心に先端から円形に縦軸穴９を穿設し、そこに円柱状に形成された金属塊７を挿入して嵌め込み、さらに、その縦軸穴９に円柱状に形成された木片の栓１１が打ち込まれており、栓１１で金属塊７が脱出したりがたついたりしないように封じられる。
【００１３】
したがって、裸では打部２の先端面に栓１１が打ち込まれている様子が見えるが、打部２に巻かれた獣皮３が先端で絞って止められるので、外観的に見えることはない。なお、打部２の外周には、従来のものと同様に、獣皮３がずれないように止めるために、基端部において段差による凹部１３が形成されており、紐５の巻き付けもまたこの凹部１３の段差に掛かることにより解けないように止められる。
【００１４】
紐５には大凧に用いられる太い凧糸が用いられ、それを密にらせん状に巻かれるが、撥Ｐが大きい場合や糸の太さによっては、複数に重ねて巻かれることもある。また、撥Ｐが小さいときなどのように必ずしも要しないときには紐５が巻かれないときもある。なお、被覆材は獣皮３や紐５に限られることはない。
【００１５】
しかし、大鈴Ｒを打ったときには、前述したように、慣性の力が累積してヘッドスピードが出た瞬間の大きな力で大鈴に当たることから、打撃音を緩和するために獣皮３や紐５の巻き付け等による緩衝材が必須である。また、大鈴Ｒに瞬間的に接触するように緩衝材には適度に反発力があることが望ましい。この点においては、太い凧糸の紐５が使用に適しており、撥Ｐの太さにより、紐５の太さや巻き数を加減して音質を最適に調整することができる。
【図面の簡単な説明】
【００１６】
【図１】この発明の一実施形態を示す大鈴用の撥の断面図である。
【図２】同撥を大鈴とともに示す斜視図である。
【符号の説明】
【００１７】
Ｐ  撥
Ｒ  大鈴
１  持ち手
２  打部
３  緩衝材としての獣皮
５  緩衝材としての紐
７  金属塊
【図１】
2006020903.tif 000003
【図２】
2006020903.tif 000004
(57)【要約】      （修正有）【課題】従来の浴槽は跨いで入浴することから体のバランスを失い転倒する危険がある。浴槽内とそれ以外の床の段差を無くして歩行者、車椅子が支障無く浴槽内に出入りすることができる身体障害者や高齢者用の気泡風呂を提供する。【解決手段】  泡だけを浴槽１に満たして使用する気泡風呂において、浴槽壁立ち上がり部の一部に出入り口２を設け、出入り口に浴槽内の泡の流れを止める簡単な扉３を取り付ける。浴槽内とそれ以外の床の段差を無くしてバリアフリー構造となる。【選択図】図１
2006020989.tif 000002
【特許請求の範囲】
【請求項１】
泡だけを浴槽に満たして使用する気泡風呂において、浴槽壁立ち上がりの一部に出入り口と扉を設け、浴槽内とそれ以外の床の段差を無くし、浴槽出入りに際してバリアフリーとした浴槽。
【発明の詳細な説明】
【発明の詳細な説明】
【発明の大略】
【００１】  本発明は泡だけを浴槽に満たして使用する気泡風呂において、浴槽壁立ち上がりの一部に出入り口を設け、出入り口には簡単な扉を取り付ける。浴槽内とそれ以外の床の段差を無くして歩行者、車椅子が支障なく浴槽内に出入りすることを可能にした浴槽構造に関するものである。
【従来の技術及び発明が解決しようとする課題】
【００２】  従来の浴槽は、湯を浴槽に貯めることから必然的に湯のこぼれない容状の形となっており、浴槽に入るには跨いで入るか、人手かリフト等を使って入浴者を浴槽に入れる方法しかない構造となっている。
【００３】  特殊な状況において使用にされる、容器又は浴槽の壁立ち上がり部に扉を取り付けたものは存在する。この場合、中にある水又は湯に水圧があり、それによる濾水を防ぐため大掛かりな防水扉と装置が必要となっている。
【００４】  跨いで浴槽に入る場合、体のバランスを崩して転倒することがある。その弊害を無くするために浴槽に至る階段又はスロープを設けているが、それを取り付けるために大きなスペースを必要としている。
【００５】  介助者が人手によって入浴介助する場合、介助者は大変な労力と体の負担が要求される。介助者の労力を軽減させるために使用するリフト等による入浴は大掛かりな装置を必要とし、なおかつ非人間的なものさえ感じさせる。
【００６】  そこで本発明は、前述した課題を解決する新規な浴槽構造を提案したものである。
【課題を解決する手段】
【００７】  本発明は泡だけを満たして使用する浴槽において、浴槽壁立ち上がり部の一部に出入り口を取り付ける。出入り口には泡の水圧がほとんど無いに等しいことから泡の流出を防ぐ簡単な扉を取り付ける。浴槽内床と浴槽外床との段差を無くしてバリアフリー化を計り、歩行者、車椅子が支障無く浴槽内に出入りできる構造にしたことを特徴とする。
入浴方法は歩行又は車椅子で浴槽内に入り、出入り口扉を閉めて泡を浴槽に満たして入浴する。泡で体を洗った後シャワー等で体と浴槽内の泡を流し、扉を開けて出入り口から出る。浴槽内は車椅子に乗ったままでもよいし、車椅子を使用しないで浴槽内の椅子に座って入浴してもよい。
【実施の形態】
【００８】  本発明における浴槽構造の実施形態について説明する。浴槽１の深さは車椅子での入浴に対応できるよう一般の浴槽より深めな形状とする。浴槽１は車椅子利用入浴者１２が入る広さでもよいし、健常者が普通に使えるよう椅子６を設けてもよい。浴槽壁立ち上がり部には出入り口２、扉３を設ける。扉３は開き戸、引き戸、自由スウィング戸、伸縮戸、差込パネル等軽い泡の流出を防ぐ簡便な戸の総称である。浴槽内床４と浴槽外床５との段差を無くし、扉３下に浴槽外に流れ出る若干の水分を排水するバリアフリー用排水溝８を設ける。浴槽内には泡供給孔９と排水溝７を設ける。入浴者１２、浴槽１内の泡１１を流すために浴槽１又は浴槽外にシャワー１０を取り付ける。
【発明の効果】
【００９】    本発明によってもたらされる効果は次の通りある。
【０１０】  浴槽内外の床の段差が無くなることから、歩行、車椅子の浴槽内への出入りに支障が生じない。
【０１１】  浴槽を跨ぐ等体のバランスを崩す動作が無くなり、身体の安全性が向上する。
【０１２】  車椅子が支障無く浴槽内に出入りできることから身体障害者、高齢者等の入浴介助者の労力と身体的な負担が大幅に解消される。
【０１３】  介助時に使用する大掛かりなリフト等の設備が不要となる。
【０１４】  浴槽に出入りするための階段、スロープなどが不要になり、使用面積と構造物が縮小できる。
【０１５】車椅子使用者が他人の介助なしに単独で入浴することが可能となる。
【図面の簡単な説明】
【図１】  出入り口のある浴槽斜視図。
【図２】  出入り口のある浴槽断面図。
【図３】  浴槽内に椅子の付いた出入り口のある浴槽斜視図
【図４】  浴槽内に椅子のついた出入り口のある浴槽断面図
【図１】
2006020989.tif 000003
【図２】
2006020989.tif 000004
【図３】
2006020989.tif 000005
【図４】
2006020989.tif 000006
(57)【要約】      （修正有）【課題】携帯電話機を所有した人が乗車券を購入して電車、バス等の公共交通機関に乗車した場合のマナー向上と、乗車券や小物等の保管場所を特定し紛失を回避すること。【解決手段】携帯電話機５のマナーモード設定、電源０ＦＦの文字やマークが印刷されている乗車券や小物等の収納ケース１の裏面に自己粘着層を設け、携帯電話機５に装着できるものとし、乗車券や小物等の保管場所が常に携帯電話機５と一体となった乗車券・小物収納ケース１とする。【選択図】図３
2006020983.tif 000002
【特許請求の範囲】
【請求項１】
乗車券や小物等の収納ケースを携帯電話機に装着することで電車、バス等の公共交通機関乗車時に忘れがちになる携帯電話機をマナーモード設定や電源ＯＦＦにすることを、乗車券を収納ケースに収納にする行為と収納ケースに印刷されているマナーモード設定、電源ＯＦＦの文字やマークによって気付かせることを特徴とする携帯電話機用乗車券・小物収納ケース。
【請求項２】
請求項１において乗車券や小物等の収納ケースは、携帯電話機との一体化によって使用者に保管場所を記憶させ、総じて薄く小さい乗車券や小物等の紛失又はハンドバッグ等へ収納した場合の混入を回避することを特徴とする携帯電話機用乗車券・小物収納ケース。
【請求項３】
請求項１において乗車券や小物等の収納ケースは、総じて薄く小さい乗車券や小物等が収納可能なサイズであるため携帯電話機の使用感、デザインを損なわないことを特徴とする携帯電話機用乗車券・小物収納ケース。
【発明の詳細な説明】
【技術分野】
【０００１】  本発明は携帯電話機用乗車券・小物収納ケースに関する。
【背景技術】
【０００２】  乗車券収納ケースの一例として実開昭６３−１０６６７８号広報に記載されているものがある。特長を簡単に説明すると、乗車券の紛失又はハンドバック等へ収納した場合の混入を回避するためにホルダーに収納して保管できることである。【０００３】  携帯電話機用収納具の一例として特開２００４−１２００４６号広報に記載されているものがある。特長を簡単に説明すると、小物を収納することができる小物収納具を、携帯電話機に着脱自在に装着することができ、小型で薄い板状の小物、キップの代用となるプリペイドカードを小物収納具に収納することができることである。
【発明の開示】
【発明が解決しようとする課題】
【０００４】  前記実開昭６３−１０６６７８号広報に記載されているもは、総じて薄く小さい乗車券をホルダーに入れることによって紛失又はハンドバッグ等へ収納した場合の混入等をある程度、回避することはできるが、乗車券ホルダーの保管場所は使用者に委ねるため、乗車券ホルダー本体の紛失又はハンドバッグ等へ収納した場合の混入等が考えらる。【０００５】  前記特開２００４−１２００４６号広報に記載されているもは、小物収納具本体が携帯電話機より大きいため、携帯電話機の操作性、デザインを損なうと思われる。【０００６】  現在、携帯電話機の普及は目覚ましいものがあり、小学生から高齢者まで多くの人が所有し使用いるが、その一方、電車、バス等の公共交通機関乗車時の携帯電話機の通話等、マナーに関して問題が発生している。【０００７】  本発明はこのような問題を解決しようとするものであり、携帯電話機を所有した人が乗車券を購入して電車、バス等の公共交通機関に乗車した場合のマナー向上と、乗車券や小物等の保管場所を特定し紛失を回避することを目的とするものである。
【課題を解決するための手段】
【０００８】  そして、本発明は上記目的を達成するためにマナーモード設定、電源ＯＦＦの文字やマークが印刷されている乗車券や小物等の収納ケース（裏面に自己粘着層有する）を携帯電話機に装着できるものとし、乗車券や小物等の保管場所が常に携帯電話機と一体となった乗車券・小物収納ケースとするものである。
【発明の効果】
【０００９】  乗車券・小物収納ケースを携帯電話機に装着することで電車、バス等の公共交通機関乗車時に忘れがちになる携帯電話をマナーモード設定や電源ＯＦＦにする行為を、乗車券を収納ケースに収納にすることによって気付かせることができる。【００１０】  また、乗車券・小物収納ケースを携帯電話機と一体化することによって乗車券や小物等の保管場所が常に携帯電話機となることによって使用者に保管場所を記憶させ紛失又はハンドバッグ等へ収納した場合の混入を回避することができる。
【発明を実施するための最良の形態】
【００１１】  以下、本発明の実施の形態を図１〜図３に基づいて説明する。【００１２】  図１において１は例えば合成樹脂製シート、紙、布又は革で形成した乗車券・小物収納ケースであり、乗車券２の短辺側の幅より若干広めの袋状に形成するとともに、内部を収納部とし、かつその上端に乗車券や小物等の挿入口を形成してある。【００１３】  また、乗車券・小物収納ケース１は長方形状に限らず、前記要項の条件を満たすものであれば好みのデザインを施すことが可能である。【００１４】  乗車券収納ケース１には使用者にマナーモード設定、電源ＯＦＦを喚起する文字やマーク３が印刷してある。【００１５】  図２において４は、乗車券・小物収納ケースの背面であり、携帯電話機５に装着できる自己粘着層６を有する。【００１６】  図３は、乗車券・小物収納ケース１を携帯電話機５に装着した状態の一例である。
【図面の簡単な説明】
【００１７】
【図１】  本発明の実施形態を示す乗車券・小物収納ケースの正面図
【図２】  同乗車券・小物収納ケースの背面図
【図３】  同乗車券・小物収納ケースを携帯電話機に装着した状態の正面図。
【符号の説明】
【００１８】  １  乗車券・小物収納ケース
２  乗車券
３  マナーモード設定、電源ＯＦＦを喚起する文字やマーク
４  乗車券・小物収納ケースの背面
５  携帯電話機
６  自己粘着層
【図１】
2006020983.tif 000003
【図２】
2006020983.tif 000004
【図３】
2006020983.tif 000005
(57)【要約】      （修正有）【課題】炭酸ガス発生入浴剤が発生する炭酸ガスを効率よく、安全かつ安価に浴槽水に溶解させること。【解決手段】本発明は炭酸ガス入浴剤溶解部２と微小孔４を有する炭酸ガス拡散装置部１からなり、溶解部２と拡散装置１間に設置された微小孔３および拡散装置部に設けられた微小孔４の両者にて、炭酸ガスの泡は微小となり、炭酸ガスが浴槽水と接する面積が格段に拡大し、かつ接する時間が長くなる。さらに浴槽内に安定して設置され、入浴剤の周囲の泡による浮きあがりを防止し、最後まで入浴剤は炭酸ガスを水中で放散しつづけることとなる。これにより効率よく炭酸ガスを浴槽水に溶解させることが可能となる。また、様々なハーブ、乳化剤などの入浴剤をセットすることが可能となり、入浴の楽しみを増やすことが可能となる。炭酸ガスの発生により圧力が上昇した際は、浴槽水取り入れ孔５から余分なガスが排出され危険性を回避できる。【選択図】図１
2006020985.tif 000002
【特許請求の範囲】
【請求項１】
微小孔を用いることにより、効率的に炭酸ガス発生入浴剤の炭酸ガスを浴槽水に溶解させる装置。
【発明の詳細な説明】
【発明の詳細な説明】
【技術分野】
【０００１】  本発明は、微小孔を有する装置にて効率よく炭酸ガス発生入浴剤の炭酸ガスを浴槽水に溶解させる装置についてのものである。
【背景技術】
【０００２】  従来、炭酸ガス発生入浴剤は直接浴槽に投与され、溶解しながら炭酸ガスを発生し、粗大な泡と接した浴槽水に炭酸ガスを溶解させていた。また、入浴剤が固形の際にはその周囲に発生した炭酸ガスの泡によって、入浴剤自体が浮きあがり、最後まで発生する炭酸ガスを浴槽水に吸収させることが困難であった。
【発明が解決しようとする課題】
【０００３】  炭酸ガス発生入浴剤が発生する炭酸ガスを効率よく、安全かつ安価に浴槽水に溶解させること。
【課題を解決するための手段】
【０００４】  本発明は、上記課題を解決するために、炭酸ガス入浴剤溶解部と微小孔を有する炭酸ガス拡散装置部の二部からなり、溶解部と拡散装置間に設置された微小孔のおよび拡散装置部に設けられた微小孔の両者にて、炭酸ガスの泡は微小となり、浴槽水と接する面積が格段に拡大し、かつ接する時間が長くなる。さらに本発明自身の重量により、浴槽内に安定して設置されることになり、入浴剤の周囲の泡による浮きあがりを防止し、最後まで入浴剤は炭酸ガスを水中で放散しつづけることとなる。この炭酸ガス泡の微小化、浴槽水と接する時間の延長、設置位置の安定化の三点から、効率よく炭酸ガスを浴槽水に溶解させることが可能となる。また、本発明により入浴剤溶解部に炭酸ガス発生剤と様々なハーブ、、乳化剤などの入浴剤をセットすることが可能となり、新たな入浴の楽しみを増やすことが可能となる。内部の炭酸ガスの発生により圧力が上昇した際は、浴槽水取り入れ孔から余分なガスが排出され危険性を回避できる。
【発明の実施の態様】
【０００５】  以下、本発明の実施の態様を図１を用いて説明する。本発明は基本的には、炭酸ガス拡散装置部（１）と入浴剤溶解部（２）からなる。また、本発明は金属、ガラス、高比重樹脂で作成されるため、水中に安定設置される。これを使用する際は、まず、入浴剤溶解部（２）に炭酸ガス発生入浴剤を設置する。次に炭酸ガス拡散装置部（１）を入浴剤溶解部（２）と組み合わせ浴槽内に設置する。入浴剤溶解部（２）に設けられた浴槽水取り入れ孔（５）から流入した浴槽水により入浴剤は反応し、炭酸ガスを発生する。発生した炭酸ガスは、入浴剤溶解部（２）と炭酸ガス拡散装置部（１）間に設けられた微小孔（３）を通って、炭酸ガス拡散装置部に移行する。炭酸ガス拡散装置部（１）に流入した炭酸ガスは発生量が少ないときにはそのまま拡散装置部に設けられた微小孔（４）を通して、微小泡となり浴槽水内に放出される。また、炭酸ガス発生量が多くなったときには、一定量の炭酸ガスが拡散装置部（１）内にとどまり微小孔からの放出が継続される。さらに発生量が多いときには炭酸ガスは、入浴剤溶解部に設けられた孔（５）から逆に排出され、内部の圧力が上昇する危険性は無い。
【実施例】  以下、本発明を応用したその他の実施例を説明する。【０００６】  図１では、基本的な樽状の形態を示しているが、炭酸ガス拡散装置部は微小孔があいていればいいため様々な形態をとることが可能である。【０００７】  図２には炭酸ガス拡散装置部（１）が長い棒状のものを示した。【０００８】  図３には炭酸ガス拡散装置部（１）がキノコ状のものを示した。【０００９】  図４には炭酸ガス拡散装置部（１）が動物状のものを示した。【００１０】  炭酸ガス拡散装置部は微小孔があればよいので、炭酸ガス拡散装置部に微小孔を直接あけても良いし、セラミックなどの微小孔を有する素材を埋め込んでも良い。【００１１】  図１の様に入浴剤溶解部と炭酸ガス拡散装置部に微小孔を有する隔壁があった方が、炭酸ガス溶解には有利であるが、図５のように入浴剤溶解部と炭酸ガス拡散装置部が一体化した形（７）の簡便型でも良い。【００１２】  図５のような入浴剤溶解部と炭酸ガス拡散装置部が一体化したもの（７）は様々な形状をとることが可能である。【００１３】  本発明を用いれば、入浴剤自身が炭酸ガスを発生するものでなくとも、固形炭酸ガス発生剤と入浴剤を入浴剤溶解部（２）にまとめて設置する事が可能となり、新たな入浴剤の楽しみ方を提案することができる。【００１４】  入浴剤溶解部（２）の内側にメジャーの目印を準備しておき、入浴剤溶解部に粉末状の入浴剤を設置することも可能である。このようにすることで、本発明の従来の目的の他に、これまで蓋で計量する際湿ってしまうが多かった粉末状入浴剤を手際よく用いることも可能となる。【００１５】  本発明では、内圧が上昇した際には自然に浴槽水取り入れ孔からガスが排出される構造となっているが、適宜安全弁を入浴剤溶解部や炭酸ガス拡散装置部に設置してもよい。
【図面の簡単な説明】
【図１】本発明の斜視図で構成を示す図である。
【図２】炭酸ガス拡散装置部が棒状のものを示す。
【図３】炭酸ガス拡散装置部がキノコ状のものを示す。
【図４】炭酸ガス拡散装置部が動物状のものを示す。
【図５】入浴剤溶解部と炭酸ガス拡散装置部が一体化した形状を示す。
【符号の説明】
１          炭酸ガス拡散部
２          入浴剤溶解部
３          入浴剤溶解部と炭酸ガス拡散部間の微小孔
４          炭酸ガス拡散部に設けられた微小孔
５          浴槽水取り入れ孔
６          入浴剤
７          入浴剤溶解部と炭酸ガス拡散部の一体化した本体
８          各部が一体化した本体に設けられた微小孔
【図１】
2006020985.tif 000003
【図２】
2006020985.tif 000004
【図３】
2006020985.tif 000005
【図４】
2006020985.tif 000006
【図５】
2006020985.tif 000007
(57)【要約】【課題】  湯水を効率よく体にかけることのできる浴用桶を提供する。【解決手段】  桶本体の側面最上部を上方に延長して、側面延長部と側面延長部上縁を設ける。側面延長部上縁は桶本体の内側に湾曲している。そして側面延長部に複数の穴を設けた浴用桶である。【選択図】図１
2006020988.tif 000002
【特許請求の範囲】
【請求項１】
桶本体の側面最上部を上方に延長して、側面延長部と側面延長部上縁を設け、側面延長部上縁は桶本体の内側に湾曲していて、側面延長部に複数の穴を設けた浴用桶。
【請求項２】
前記側面延長部が桶本体の内側に湾曲している請求項１に記載の浴用桶。
【請求項３】
前記側面延長部の下の側面最上部に複数の穴を設けた請求項１又は請求項２に記載の浴用桶。
【発明の詳細な説明】
【技術分野】
【０００１】  本発明は、浴場において使用する桶に関するものである。
【背景技術】
【０００２】  従来、合成樹脂からなる底にすべり止めのゴム等の付いた湯桶と、握り柄の付いた手桶があった。（たとえば特許文献１、特許文献２参照）【０００３】
【特許文献１】特開平９−３７９８４
【特許文献２】特開２００４−８１２７０
【発明の開示】
【発明が解決しようとする課題】
【０００４】  そのために、次のような問題点があった。
（イ）湯水が体の広い範囲に効率よくかかりにくかった。
（ロ）小さな子供は浴用桶で一度に湯水をかけられるのをいやがることがあった。
本発明は、これらの問題点を解決するためになされたものである。
【課題を解決するための手段】
【０００５】  桶本体（１）の側面最上部（２）を上方に延長して、側面延長部（３）と側面延長部上縁（４）を設ける。側面延長部上縁（４）は桶本体（１）の内側に湾曲している。側面延長部（３）に複数の穴（６）を設ける。そして側面延長部（３）も内側に湾曲するとよい。更に側面延長部（３）の下の側面最上部（２）にも複数の穴（６）を設けるとよい。
【発明の効果】
【０００６】  湯水が体の広い範囲に効率よく流れるので湯水の節約になる。また、湯水が効率よく体にかかるので、汲み取る湯水が少なくてすみ手、腕にかかる力が少なくてすむ。そして湯水がシャワーのように流れるので、小さな子供は遊び感覚で湯水を体にかけることができる。
【発明を実施するための最良の形態】  以下、本発明の実施の形態について説明する。
【第一実施例】
【０００７】（イ）図１において、桶本体（１）の側面最上部（２）を上方に延長して、側面延長部（３）と側面延長部上縁（４）を設ける。側面延長部上縁（４）は桶本体（１）の内側に湾曲している。側面延長部端（５）は斜めに上縁（７）に接続している。
（ロ）側面延長部（３）に複数の穴（６）を設ける。穴（６）は横方向に３列に並んでいる。一番上の列の穴（６）と穴（６）の中間点を下がった位置に上から２列目の穴（６）の中心がくるように、２列目の穴（６）を設ける。同様に、上から２列目の穴（６）と穴（６）の中間点を下がった位置に上から３列目の穴（６）の中心がくるように、３列目の穴（６）を設ける。
（ハ）側面延長部（３）を基準にして、左右対称に側面上部に桶本体（１）の内側に膨らんでいる凸部（８）を設ける。
【第二実施例】
【０００８】（イ）図６において、握り柄（９）の付いた桶本体（１）の側面最上部（２）を上方に延長して、側面延長部（３）と側面延長部上縁（４）を設ける。側面延長部上縁（４）は桶本体（１）の内側に湾曲している。側面延長部端（５）は斜めに上縁（７）に接続している。そして、側面延長部端（５）は握り柄（９）の付け根の近くに位置する。
（ロ）側面延長部（３）に複数の穴（６）を設ける。穴（６）は横方向に３列に並んでいる。穴（６）のあけ方は第一実施例と同じである。
【第三実施例】
【０００９】（イ）図７において，桶本体（１）の側面最上部（２）を上方に延長して、側面延長部（３）と側面延長部上縁（４）を設ける。側面延長部（３）と側面延長部上縁（４）は桶本体（１）の内側に湾曲している。側面延長部端（５）は斜めに上縁（７）に接続している。
（ロ）側面延長部（３）と該側面延長部（３）の下の側面最上部（２）に複数の穴（６）を設ける。穴（６）は横方向に３列に並んでいる。穴（６）のあけ方は第一実施例と同じである。
（ハ）側面延長部（３）を基準にして、左右対称に側面上部に桶本体（１）の内側に膨らんでいる凸部（８）を設ける。
本発明は以上のような構成で、これを使用するときは、凸部（８）を片手でつかみ、桶に湯水をくむ。その湯水を側面延長部（３）に設けた穴（６）を通して体にかける。第三実施例では、側面最上部（２）に設けた穴（６）からも湯水が流れ出る。
髪に湯水をかける場合、凸部（８）は内側にふくらんでいるので、目をつぶっていても持つ位置はたやすくわかる。
図６に示す、握り柄（９）の付いた桶の場合は、穴（６）のあいている側面延長部（３）が握り柄（９）の近くまで設けてあるので、左右どちらの手で握り柄（９）を持っても、穴（６）を通って湯水を体にかけることができる。
図７の第三実施例の場合、側面最上部（２）にも穴（６）が設けてあるので、側面延長部（３）の高さが低くなり、外見と使い勝手が良くなる。
【図面の簡単な説明】
【００１０】
【図１】本発明の斜視図
【図２】本発明の側面図
【図３】本発明の平面図
【図４】図２のＡ−Ａ矢視断面図
【図５】図３のＢ−Ｂ矢視断面図
【図６】第二実施例の斜視図
【図７】第三実施例の斜視図
【符号の説明】
【００１１】１  桶本体
２  側面最上部
３  側面延長部
４  側面延長部上縁
５  側面延長部端
６  穴
７  上縁
８  凸部
９  握り柄
【図１】
2006020988.tif 000003
【図２】
2006020988.tif 000004
【図３】
2006020988.tif 000005
【図４】
2006020988.tif 000006
【図５】
2006020988.tif 000007
【図６】
2006020988.tif 000008
【図７】
2006020988.tif 000009
(57)【要約】      （修正有）【課題】天ぷらやとんかつの様な揚げ物等、油分を含んだ食品を電子レンジで加熱する際、流出した油分が過熱している食品に再付着して、ベタベタになってしまうのを防ぐ電子レンジ用平皿を提供する。【解決手段】平皿の表面に円弧状の突出帯を複数並列して設ける。加熱したい食品から流出した油分は、突出帯の下方に流れ落ち揚げ物に再付着することなく、カリっとした食感に仕上がる。【選択図】図３
2006020982.tif 000002
【特許請求の範囲】
【請求項１】
平皿の表面に円弧状の突出帯を複数並列して設け，加熱したい食品から流出した油分が、突出帯の下方に流れ落ち揚げ物に再付着することなく、カリっとした食感に仕上がる。以上を特徴とする電子レンジ用平皿。
【発明の詳細な説明】
【技術分野】
【０００１】  本発明は、天ぷらやとんかつの様な揚げ物等、油分を含んだ食品を電子レンジで加熱する際、流出した油分が過熱している食品に再付着して、ベタベタになってしまうのを防ぐ電子レンジ用平皿を提供するために開発した平皿に関するものである。
【背景技術】
【０００２】  従来、揚げ物を電子レンジで再加熱するとき、普通の皿で行うと食品から流出した油分が再付着して、ベタベタとしてしまっていた。
それに対応するために、調理用のペーパーを敷いたり、市販の冷凍食品等は、個別に切り離して使えるトレイをつけたりしているが、充分に油分の再付着を防ぐに至っていない。
【発明の開示】
【発明が解決しようとする課題】
【０００３】  そのために次のような問題点があった。
出来上がって時間が経ち、冷めてしまった揚げ物等を再び揚げなおしたり、オーブントースター等で焼いたりして、カリっとした仕上がりを再現するために手間や労力を費やすることになってしまっていた。
本発明は以上の問題点を解決しようとするものである。
【課題を解決するための手段】
【０００４】  平皿の表面に円弧状の突出帯を複数並列して設ける。
加熱したい食品から流出した油分は、突出帯の下方に流れ落ち揚げ物に再付着することなく、カリっとした食感に仕上がる。以上を特徴とする電子レンジ用平皿である。
【発明の効果】
【０００５】  本発明は、電子レンジで揚げ物等、油分を含む食品の加熱をする際、その食品自身から流出する油によって、ベタっとした食感になってしまうのを防ぎ、尚且つ円弧状の突出帯を皿の周縁に配することにより必然的に暖めたい食品を皿の中心をはずして並べ置くことになり、電子レンジ特有の加熱ムラを防ぐことになる。また、突出帯を円弧状にして数箇所切り込みを入れることにより、皿を洗浄したあとの水切れにも効果がある。
【発明を実施するための最良の形態】
【０００６】  以下、本発明の実施の形態を説明する。
（イ）耐熱用の平皿（１）の表面に、中心部（２）を除いて円弧状の突出帯（３）を並列して複数設ける。
（ロ）平皿（１）の表面に、縦直線状に又は十字状に切り込み（５）を設ける。
本発明は、以上の構成よりなっている。
本発明を使用するときは、円弧状になった突出帯（３）の上に食材（６）を載せ、電レンジにて加熱する。食材より流出した余分な油分が底面の凹部（４）に落ち、食材に再付着することはない。又、突出帯を平皿の中心部を除いて設けたことにより過熱ムラを防ぐ効果を得られる。
【図面の簡単な説明】
【０００７】
【図１】本発明の平面図
【図２】本発明の斜視図
【図３】本発明の断面図
【図４】本発明の他の実施例を示す平面図
【符号の説明】
【０００８】      １  平皿
２  中心部
３  突出帯
４  凹部
５  切り込み
６  食材
【図１】
2006020982.tif 000003
【図２】
2006020982.tif 000004
【図３】
2006020982.tif 000005
【図４】
2006020982.tif 000006
(57)【要約】【課題】  ワイパーの使用時に、集めた塵を取り除き、使用後のワイパーを立てられるようにしたワイパーの塵取り兼用スタンドを提供する。【解決手段】  塵取り型に差し込み部のある支軸を設け、支軸を取っ手にして塵を除去し、差し込み部に柄を入れて立てられることを特徴とするワイパーの塵取り兼用スタンドである。【選択図】  図１
2006020990.tif 000002
【特許請求の範囲】
【請求項１】
塵取り型に差し込み部のある支軸を設け、塵取り部で塵を除去し、差し込み部に柄を入れて立てられることを特徴とするワイパーの塵取り兼用スタンド。
【発明の詳細な説明】
【技術分野】
【０００１】  本発明はワイパーを使用中に、集めた塵を除去したり使用後のワイパーを収納して立てられる、ワイパーの塵取り兼用スタンドに関するものである。
【背景技術】
【０００２】  従来、ワイパーを使用したとき、掃き出した塵やほこりがサッシの溝にたまったり玄関のたたき等を汚しがちだった。
集めた塵を掃除機や塵取りで除去していた。
また、使用後のワイパーは壁に立てかけると倒れやすいために、フックを取り付けて掛けていた。
【発明の開示】
【発明が解決しようとする課題】
【０００３】  そのために、次のような問題点があった。
掃き出した塵でサッシの滑りが悪くなったり、集めた塵を掃除機や塵取りで除去するなど効率が悪かった。
また、フックを付ける場所に困ったり、掛けておいても清潔感に欠けて、見た目も良くなかった。
本発明は以上の問題点を解決しようとするものである。
【課題を解決するための手段】
【０００４】  拭部が収まる塵取り型にワイパーの柄が入れられる差し込み部のある支軸を設ける。
そして、集めた塵は塵取り部の開口部で除去する。
使用後のワイパーは拭部を収容部に入れ支軸に柄を立てておく。
以上を特徴とするワイパーの塵取り兼用スタンドである。
【発明の効果】
【０００５】  本発明は、ワイパーで掃除中に集めた塵を塵取り部で効率よく除去する。
したがって、掃除機や塵取りを用意するわずらわしさがない。
また、使用後のワイパーは収容部に入れて立てて置くので倒れる心配がなく清潔感がある。
【発明を実施するための最良の形態】
【０００６】  以下、本発明の実施の形態について説明する。
（イ）塵取り型に拭部が入る収容部（１）を設ける。
（ロ）収容部（１）の中央に支軸（２）を設ける。
（ハ）支軸（２）部分の前面に差し込み部（３）を設ける。
本発明は以上の構成よりなっている。
本発明を使用するときは、ワイパーやほうき等で集めた塵を、支軸（２）を取っ手にして、開口部（４）で取り除く。
サッシの溝や階段等の段差を利用するとより確実に除去できる。
使用後のワイパーは拭部（５）を収容部（１）に入れ、柄（６）は支軸（２）の差し込み部（３）に入れて立てて収納できる。
この結果、ワイパーが倒れることがない。
【図面の簡単な説明】
【０００７】
【図１】本発明の分離斜視図
【図２】本発明の断面図である。
【図３】本発明の使用状態を示した側面図である。
【符号の説明】
【０００８】  １．収容部
２．支軸
３．差し込み部
４．開口部
５．拭部
６．柄
【図１】
2006020990.tif 000003
【図２】
2006020990.tif 000004
【図３】
2006020990.tif 000005
(57)【要約】【課題】        スポーツ時等に、短時間で、有益な呼吸法を強制できるスポーツ、リハビリ用マスクを提供したい。【解決手段】        課題を解決するため、マスクの素材はゴム製等で空気が漏れないようにし、１つのマスクに鼻用と口用の独立した室を設け、鼻用には、空気を吸うことしかできない弁、口用には空気を吐くことしか出来ない弁を設け、ベルト等で頭部に回し口元に固定した。【特許請求の範囲】
【請求項１】
マスクの中に鼻からでなければ空気を吸えず、口からでなければ、空気を吐く事のできない２つの給排気室と呼吸に抵抗をかける為の弁を設けたスポーツ用マスク。
【発明の詳細な説明】
【発明の詳細な説明】
【０００１】        腹式呼吸と有酸素運動を強制的にさせることでスポーツ時に、短時間でより有益な運動を人体にもたらす為のマスク。
【技術分野】
【０００２】        本発明は  Ａ６１  に属する新しい発明である。
【背景技術】        従来、スポーツ時における、呼吸法と空気を吸う、吐く作業に抵抗がかかる心肺運動、腹式呼吸、有酸素運動を強制的に管理できるスポーツ用マスクが無かった。
【発明が解決しようとする課題】
【０００３】        スポーツ時等に短時間で、有益な呼吸法を強制できるスポーツ、リハビリ用マスクを提供したい。
【課題を解決するための手段】
【０００４】        課題を解決するため、マスクの素材はゴム製等で空気が漏れないようにし、１つのマスクに鼻用と口用の独立した室を設け、鼻用には、空気を吸う事しか出来ない弁、口用には、空気を吐くことしか出来ない弁を設け、ベルト等で頭部に回し、口元に固定した。
【発明実施の形態】
【０００５】        製品素材は空気が漏れないようゴム等のやわらかい素材が適していた。又、給排気の弁は、空気を給排気の際、若干  抵抗が掛かるものが良く、可動式や弁の数の増減で、開け閉めし給排気の量を調整できるようにすれば、個々人に合わせ調整できる。又、固定する方法は頭部を利用しゴム製等の収縮する素材やベルトにする事で解決した。
【発明の効果】
本発明の効果により、呼吸が制限され、腹式呼吸、有酸素運動を有効にでき、心肺機能をたかめ、且つ心肺機能のリハビリ的性能も得た。
(57)【要約】      （修正有）【課題】鍋ぶたが熱くても、なべぶたの把手にふれず料理中の手軽に使える鍋ぶた置き場やお玉置き場を提供する。【解決手段】つまみ３によって鍋ぶたに直接触れることなくつまみ、つまんだまま本体１に立てることができる。本体には取り外し可能なお玉うけ皿２が付属している。【選択図】図１
2006020842.tif 000002
【特許請求の範囲】
【請求項１】
鍋ぶたのとってをつまむ器具（つまみ）がついて、つまんだまま立てられることを特徴とする鍋ぶたおき。
【請求項２】
前記のつまみは、本体から独立しており、先に滑り止めがついていることで熱い鍋ぶたを直接持つことなくまた滑らずにつかむことができることを特徴とし、また鍋ぶたの大きさ等により取りかえることができる機能をもつ、請求項１記載の鍋ぶたおき。
【請求項３】
前記の鍋ぶたおきには、お玉おきも付属してついていることを特徴とする請求項１記載の鍋ぶたおき。
【発明の詳細な説明】
【技術分野】
【０００１】
この発明は、料理などで用いる鍋・フライパンなどの、鍋ぶたおきの形状に関する。
【背景技術】
【０００２】
料理中に手軽に使える場所をとらない鍋ぶたおきはあまり市場にみられず、多くの主婦は、料理中の鍋ぶたの置き場所に困っている。たとえばシンクの上にひっくり返して置くと、手に鍋の蒸気が垂れて熱い思いをする。収納を目的として作られた鍋ぶたおきはあるが、従来の鍋ぶたおきの形状は、図２に示すように、鍋ぶたのとってをいったん手で持ち、立てかける、フックに引っ掛ける、などの形状が多い。なお昨年、料理中に使用できるタイプも発明された（特許文献１）が、やはりとってを手で持つタイプである。さらに、鍋ぶたと共にお玉の置き場所にも困ることがよくある。
【特許文献１】特許公開平１０−１７９４３２
【発明の開示】
【発明が解決しようとする課題】
【０００３】
しかしながら、以上の技術によれば、料理中の鍋ぶたを持った時に熱くて持てないなどの状況が発生する。
そこで、この発明は、料理中に手軽に使える熱くない鍋ぶたおきをを提供し、さらにお玉置き場も設けることを課題とする。
【課題を解決するための手段】
【０００４】
以上の課題を解決するために、第一発明は、鍋をつかむための独立したつまみを持ち、鍋ぶたをつまんだまま鍋ぶたを立てておける、ことを特徴とする鍋ぶたおきである。
また、第二発明は、独立したつまみに滑り止めがついており、重さのある鍋ぶたでもつまみやすいことを特徴とし、また独立しているため鍋ぶたの種類により大きさや色を交換することができる鍋ぶたおきである。
さらに、第三発明は鍋ぶたおきにお玉おきを付属させた鍋ぶたおきである。
【発明の効果】
【０００５】
第一発明、または第二発明によれば、鍋ぶたのとってに触れず鍋ぶたを持ち、そのまま立てておくことができる。またつまみ部分は手軽で鍋ぶたの種類によって交換できるのでどんな鍋ぶたにも対応できる。第三発明により、従来小皿などを利用して置いておいたお玉置き場が確保された。またお玉おきはやや深くなっており、お玉を立てた状態で置くことができる。
【発明を実施するための最良の形態】
【０００６】
この発明の一実施形態を、図１に示す。
鍋ぶたおき本体１はステンレス等でつくられており、本体１の下部にはお玉受け皿２がついている（取り外し可能）。また、上部には可動性のストッパー４がついており、つまみ３の位置を固定することができる。つまみ３は独立しており、大きさや色を鍋ぶたの種類によって変えることができる（図３）。またつまみ３はとって部分に穴があいており、穴を本体に挿すことで本体１と合体する。
【０００７】
「実施形態の効果」
この実施形態によれば、料理の途中で、場所をとらずに鍋ぶた、お玉を置くことができる。また、お玉おき、鍋ぶたつまみを独立させることにより清掃がしやすい。さらに本体ををやや傾斜させることで、鍋ぶたについた水滴が下に落ちにくい。
【０００８】
「他の実施形態」
図１の実施形態では、つまみにあいた穴で本体と合体するが、他の実施形態では、      図４のようにつまみのとって部分を本体の溝に挟み込むものでも良い。
また、この場合、本体の溝には、つまみを用いずに鍋ぶたのとって部分を直接挟み込んでもよい。
【図面の簡単な説明】
【０００９】
【図１】この発明の一実施形態を示す斜視図である。
【図２】この発明の一部分であるつまみの詳細図である。つまみは、先に滑り止め５がついており、鍋ぶたをやや上向きで支え、水滴が垂れにくいように工夫されている。
【図３】従来技術を示す斜視図である。
【図４】他の実施形態を示す斜視図である。
【符号の説明】
【００１０】
１  鍋ぶた本体            ２  お玉うけ皿
３  つまみ                ４  ストッパー        ５  滑り止め
【図１】
2006020842.tif 000003
【図２】
2006020842.tif 000004
【図３】
2006020842.tif 000005
【図４】
2006020842.tif 000006
(57)【要約】      （修正有）色面を単純化した、ル−ビックキュ−ブ。【課題】従来のル−ビックキュ−ブは極めて難解であった。このル−ビックキュ−ブの色面を単純化することで、誰もが、易しく解が得られる様に工夫されたものである。【解決手段】解法に従って、段階的に必要な色面にするために、色面を着脱可能にしたことを特徴とするル−ビックキュ−ブ。【選択図】図１
2006020899.tif 000002
【特許請求の範囲】
【請求項１】
色面を単純化したル−ビックキュ−ブ。
【発明の詳細な説明】
【技術分野】
【０００１】
この発明は色面を単純化したル−ビックキュ−ブに関するものである。
【背景技術】
【０００２】
ル−ビックキュ−ブは20世紀のパズルの最大の傑作と言われ、発明当時大流行した。図２の様に、一見単純で６面の色を合わせることが目的のパズルであるが、その解は極めて難解で、殆どの人が途中で投げ出し、自力で解を見出した人は一万人に一人といわれている。なぜ、そんなに難しいのか？それは、一回の回転で９個のキューブが同時に動くからである。従って、数回の回転で個々のキューブがどう動いたかを知ることは、通常の人には無理で，そんなことは、コンピューターに任せておけば良いのである。この難解さのゆえに、少数のパズルマニア以外相手にされなかったのである。        
【発明の開示】
【発明が解決しようとする課題】
【０００３】
この素晴らしいパズルを一般の人々に理解し楽しんでもらうためには、何よりもまず、易しくすることが必要なのである。
【課題を解決するための手段】
【０００４】
そのための手段として色面を単純化する方法を考案した、実際には解法に従って段階的に色合わせをマスターし，最終的にル−ビックキュ−ブを完成出来るよう工夫されたものである。この方法で行えば、誰もが容易に6面を完成出来るばかりでなく、ル−ビックキュ−ブの真の面白さを理解できる様になるものと確信している。
【発明の効果】
【０００５】
図１(Ａ)  及び 図１(Ａ’)に示されたキューブは回転によりどんなに、ばらばらになっても、練習すれば誰もが、自由に正しく色面を合せることができる。このように、色面が単純化され、合わせる個数が減ることで、目的のキューブの動きが良く解り、どうやって合わせたら、よいのかが明快にわかるからである。                                      
図１(Ｂ)この８個のコーナーキューブを合せることが、実はル−ビックキュ−ブを合わせるための最大の難関なのである。８個のコーナーキューブを合せることが、なぜそんなに難しいのか？というと前述の様に、４個のコーナーキューブは簡単に合せることが可能である、通常の方法で残りの4個のコーナーキューブを合わせようとして回転すると、せっかく合わせたキューブもばらばらになり、到底８個を合わせることは出来ないのである。ではどうやって合わせるのかというと、合わせた４個のコーナーキューブを下面に置き、上面の４個のコーナーキューブを合わせる場合、結果として、下面を崩さずに、上面のキューブを正しい位置にもって行き、次に正しい色面に合わせて、完成させるのである。この魔法のような一連の手順を見つけることが、ル−ビックキュ−ブを解くための、必須条件なのである。詳細は省略するが、ここを完全にマスターするために不可欠なのが、図１に示されている、本発明品である。色面が単純なので、目的のキューブの動きが良く解り、誰もが、楽に、この段階をクリアー出来るのである。あとは図１(Ａ')を合わせた時と同じ要領で図１(Ｃ)、図１(Ｃ’)と合わせて行き、 最後に、残る中央を合わせると、第２図が完成出来るのである。
【発明を実施するための最良の形態】
【０００６】
色面を単純化する方法は、色シールまたは色板を着脱可能としたもの。
【図面の簡単な説明】
【０００７】
【図１】本発明品の斜視図である。
【図２】従来のル−ビックキュ−ブの斜視図である。      いずれも、色面を合わせた状態で示されている。      図１(Ａ)、(Ａ’)、(Ｂ)、(Ｃ)、(Ｃ’)は合わせる順番に従って色面を増やし、段階的に色合わせをマスター出来るように、工夫されたものの一例が示されている。            図2に示したル−ビックキュ−ブは立方体で６つの面を持つ、斜視図では表の３面の色（赤、黄、白）を示してある、裏の３面の色は青、緑、橙等、各面は識別されている。図１も同様で、裏面は省略しているが、表が着色されている箇所の隠れている裏面は着色されている。
【図１】
2006020899.tif 000003
【図２】
2006020899.tif 000004